(57)【特許請求の範囲】
【請求項１】
前側に設けられる相手コネクタとの対向部、及びケーブル開口部が形成されて後側に設けられるケーブル部を備えるハウジングと、
前記ハウジングの前記相手コネクタとの対向部側に設けられ、対応するコネクタの接触子と嵌合可能な導電性の接触子と、
前記ケーブル開口部を介して前記ハウジング内に配置され、前記接触子と電気的に接続されるケーブルと、
前記ハウジングの後側のケーブル部に配置されると共に、前記ケーブル開口部と位置合わせされる後面プレートと、
前記ハウジングの前側の前記相手コネクタとの対向部に配置されて、ハウジング前面部を取り囲む前面プレートと、を備え、
前記ハウジングは、前記後面プレート及び前記前面プレートに挟まれ、
前記前面プレートは、前記ハウジング内を前後方向に延びる少なくとも１つの固定部材によって、前記後面プレートに固定され、
前記固定部材は、前記ハウジングの両方の横側に配置される一対のネジ部材によって構成され、
前記ネジ部材は、
後端側に形成されると共に、前記ハウジングの外部であって前記後面プレートより後側に突出する雄ネジ部と、
前端側に形成されると共に、前記ハウジングの外部であって前記前面プレートより前側に突出する雌ネジ部と、
前記雄ネジ部と前記雌ネジ部とを連結すると共に、少なくとも一部が前記ハウジングの内部に配置される中継部と、を備え、
前記ネジ部材は、前記後面プレートにおける対応箇所に形成される横側開口部を貫通すると共に、前記前面プレートにおける対応箇所に形成される横側開口部を貫通する、コネクタ付きケーブルアセンブリ。
【請求項２】
前記ネジ部材と、前記後面プレートの前記横側開口部及び前記前面プレートの前記横側開口部の少なくとも一方とは、前記ネジ部材が前記後面プレート及び前記前面プレートに対して回転することを防止する形状に構成されている、請求項１に記載のコネクタ付きケーブルアセンブリ。
【請求項３】
前側に設けられる相手コネクタとの対向部、及びケーブル開口部が形成されて後側に設けられるケーブル部を備えるハウジングと、
前記ハウジングの前記相手コネクタとの対向部側に設けられ、対応するコネクタの接触子と嵌合可能な導電性の接触子と、
前記ケーブル開口部を介して前記ハウジング内に配置され、前記接触子と電気的に接続されるケーブルと、
前記ハウジングの後側のケーブル部に配置されると共に、前記ケーブル開口部と位置合わせされる後面プレートと、
前記ハウジングの前側の前記相手コネクタとの対向部に配置されて、ハウジング前面部を取り囲む前面プレートと、を備え、
前記ハウジングは、前記後面プレート及び前記前面プレートに挟まれ、
前記前面プレートは、前記ハウジング内を前後方向に延びる少なくとも１つの固定部材によって、前記後面プレートに固定され、
前記後面プレートには、
前記ケーブル開口部と位置合わせされる中央開口部と、
前記中央開口部の両方の横側にそれぞれ形成される横側開口部と、が形成される、コネクタ付きケーブルアセンブリ。
【請求項４】
前記後面プレートには、
前記ケーブル開口部と位置合わせされる中央開口部と、
前記中央開口部の両方の横側にそれぞれ形成される横側開口部と、が形成される、請求項１又は２に記載のコネクタ付きケーブルアセンブリ。
【請求項５】
前記後面プレートは、前記ケーブル開口部の両方の横側にそれぞれ配置される一対の横側プレートを備え、
前記横側プレートには、それぞれ横側開口部が形成される、請求項１又は２に記載のコネクタ付きケーブルアセンブリ。
【請求項６】
前記ハウジングは、互いに電気的に接続された前記接触子及び前記ケーブルを含んで樹脂成型することによって形成される、請求項１〜５の何れか一項に記載のコネクタ付きケーブルアセンブリ。
【請求項７】
前側に設けられる相手コネクタとの対向部、及びケーブル開口部が形成されて後側に設けられるケーブル部を備えるハウジングと、
前記ハウジングの前記相手コネクタとの対向部側に設けられ、対応するコネクタの接触子と嵌合可能な導電性の接触子と、
前記ケーブル開口部を介して前記ハウジング内に配置され、前記接触子と電気的に接続されるケーブルと、
前記ハウジングの後側のケーブル部に配置されると共に、前記ケーブル開口部と位置合わせされる後面プレートと、
前記ハウジングの前側の前記相手コネクタとの対向部に配置されて、ハウジング前面部を取り囲む前面プレートと、
前記ハウジングの両方の横側に配置されるネジ部材と、を備え、
前記ネジ部材は、
前記後面プレートにおける対応箇所に形成される横側開口部を貫通すると共に、前記前面プレートにおける対応箇所に形成される横側開口部を貫通し、
前記前面プレートを押圧し、雌ネジ部が形成された前端側のキャップ部と、
ナットで固定されるように雄ネジ部が形成された後端部と、を備え、
前記後面プレートと前記前面プレートとの間で前記ハウジングを挟み込む、コネクタ付きケーブルアセンブリ。
【請求項８】
前側に設けられる相手コネクタとの対向部、及びケーブル開口部が形成されて後側に設けられるケーブル部を備えるハウジングと、
前記ハウジングの前記相手コネクタとの対向部側に設けられ、対応するコネクタの接触子と嵌合可能な導電性の接触子と、
前記ハウジングの後側のケーブル部に配置されると共に、前記ケーブル開口部と位置合わせされる後面プレートと、
前記ハウジングの前側の前記相手コネクタとの対向部に配置されて、ハウジング前面部を取り囲む前面プレートと、を備え、
前記ハウジングは、前記後面プレート及び前記前面プレートに挟まれ、
前記前面プレートは、前記ハウジング内を前後方向に延びる少なくとも１つの固定部材によって、前記後面プレートに固定され、
前記固定部材は、前記ハウジングの両方の横側に配置される一対のネジ部材であって、後端側に形成されると共に、前記ハウジングの外部であって前記後面プレートより後側に突出する雄ネジ部と、前端側に形成されると共に、前記ハウジングの外部であって前記前面プレートより前側に突出する雌ネジ部と、前記雄ネジ部と前記雌ネジ部とを連結すると共に、少なくとも一部が前記ハウジングの内部に配置される中継部とを備える、前記一対のネジ部材によって構成され、
前記ネジ部材は、前記後面プレートにおける対応箇所に形成される横側開口部を貫通すると共に、前記前面プレートにおける対応箇所に形成される横側開口部を貫通する、コネクタアセンブリ。
【発明の詳細な説明】
【技術分野】
【０００１】
本発明の一側面は、コネクタ付きケーブルアセンブリ、及びコネクタアセンブリに関する。
【背景技術】
【０００２】
特許文献１には、ハウジングと、ハウジングの前面側に設けられ、対応するコネクタの接触子と嵌合可能な導電性の接触子と、ハウジングの後面側に設けられ、接触子と電気的に接続されるケーブルと、を備えるコネクタ付きケーブルアセンブリが記載されている。このコネクタ付きケーブルアセンブリのハウジングの両側には、対応する相手側のコネクタと連結するためのネジ部材が設けられている。
【先行技術文献】
【特許文献】
【０００３】
【特許文献１】特開２００６−２０２６７９号公報
【発明の概要】
【０００４】
上述のようなコネクタ付きケーブルアセンブリにおいては、ハウジングの周方向に対する電磁波の漏れについては当該ハウジングで覆われることによって抑制できる。一方、接触子が設けられるハウジングの前面側から電磁波が漏れる可能性があった。従って、ハウジングからの電磁波の漏れをより確実に抑制することが要請されていた。
【課題を解決するための手段】
【０００５】
本発明の一側面に係るコネクタ付きケーブルアセンブリは、前側に設けられる相手コネクタとの対向部、及びケーブル開口部が形成されて後側に設けられるケーブル部を備えるハウジングと、ハウジングの相手コネクタとの対向部側に設けられ、対応するコネクタの接触子と嵌合可能な導電性の接触子と、ケーブル開口部を介してハウジング内に配置され、接触子と電気的に接続されるケーブルと、ハウジングの後側のケーブル部に配置されると共に、ケーブル開口部と位置合わせされる後面プレートと、ハウジングの前側の相手コネクタとの対向部に配置されて、ハウジング前面部を取り囲む前面プレートと、を備え、ハウジングは、後面プレート及び前面プレートに挟まれ、前面プレートは、ハウジング内を前後方向に延びる少なくとも１つの固定部材によって、後面プレートに固定される。
【０００６】
このような側面においては、前面プレートが、ハウジングの前側の相手コネクタとの対向部に配置されて、ハウジング前面部を取り囲んでいる。また、ハウジングは、後面プレート及び前面プレートに挟まれ、前面プレートは、ハウジング内を前後方向に延びる少なくとも１つの固定部材によって、後面プレートに固定される。従って、ハウジングのうち、接触子が設けられる相手コネクタとの対向部側は前面プレートによって覆うことができる。また、当該前面プレートを固定部材及び後面プレートによって固定することができる。以上により、ハウジングからの電磁波の漏れをより確実に抑制することができる。
【発明の効果】
【０００７】
本発明の一側面によれば、ハウジングからの電磁波の漏れをより確実に抑制することができる。
【図面の簡単な説明】
【０００８】
【図１】実施形態に係るコネクタ付きケーブルアセンブリの斜視図である。
【図２】実施形態に係るコネクタ付きケーブルアセンブリの展開斜視図である。
【図３】実施形態に係るコネクタ付きケーブルアセンブリの展開斜視図である。
【図４】実施形態に係るコネクタ付きケーブルアセンブリの一部断面図である。
【図５】実施形態に係るコネクタ付きケーブルアセンブリを他のコネクタ付きケーブルアセンブリと接続した状態を示す平面図である。
【図６】前面プレートの拡大図である。
【図７】変形例に係るコネクタ付きケーブルアセンブリの後面プレートを示す図である。
【発明を実施するための形態】
【０００９】
以下、添付図面を参照して、本発明の実施形態について詳細に説明する。なお、以下の説明において、同一又は相当要素には同一符号を付し、重複する説明を省略する。また「Ｘ軸方向」、「Ｙ軸方向」及び「Ｚ軸方向」の語は、図示する方向に基づいており便宜的なものである。
【００１０】
図１〜図４に示すように、コネクタ付きケーブルアセンブリ１００は、ハウジング２と、接触子３と、ケーブル４と、後面プレート６と、前面プレート７と、ネジ部材（固定部材）８と、を備える。このうち、コネクタアセンブリ１０は、ハウジング２と、接触子３と、後面プレート６と、前面プレート７と、ネジ部材８と、によって構成される。本実施形態に係るコネクタ付きケーブルアセンブリ１００は、他の対応する相手側のコネクタ付きケーブルアセンブリ２００（図５参照）のコネクタアセンブリと嵌合することによって、ケーブル同士を電気的に接続するためのものである。本実施形態に係るコネクタ付きケーブルアセンブリ１００の用途は特に限定されるものではないが、例えば、基板外観検査装置のカメラと演算器とを電気的に接続するためのケーブルに適用される場合がある。特に、コネクタ付きケーブルアセンブリ１００は、高周波の信号を扱う装置において、特に好適に用いられる。
【００１１】
なお、本明細書中においては、ケーブル４が水平方向に延びると共に、ハウジング２の一方の主面２ａが上側に配置されて他方の主面２ｂが下側に配置されている状態（図１に示す状態）を基準として、説明を行う。ただし、コネクタ付きケーブルアセンブリ１００の使用時においては、向きが限定されるものではない。また、説明のために、コネクタ付きケーブルアセンブリ１００に対してＸＹＺ座標系を設定して説明を行う。水平面内において互いに直交する「Ｘ軸方向」「Ｙ軸方向」を定義すると共に、Ｘ軸方向及びＹ軸方向に直交する「Ｚ軸方向」を定義する。請求項における「前後方向」がＹ軸方向に該当するものとし、「前側」がＹ軸方向正側に該当し、「後側」がＹ軸方向負側に該当するものとする。また、請求項における「横側」がＸ軸方向正側またはＸ軸方向負側に該当するものとする。ハウジング２の主面２ａ，２ｂが対向する方向をＺ軸方向とし、主面２ａが配置される側をＺ軸方向正側とし、主面２ｂが配置される側をＺ軸方向負側とする。また、特に言及がない限り、以下の説明は、コネクタ付きケーブルアセンブリ１００が組み上がった状態（すなわち、図１の状態）を基準とするものとする。
【００１２】
ハウジング２は、接触子３とケーブル４とが電気的に接続される部分を内部に収容して保護するための部材である。ハウジング２は、扁平な直方体状の形状を有しており、Ｚ軸方向に対向する主面２ａ，２ｂと、Ｙ軸方向に対向するハウジング前面部２ｃ及びハウジング後面部２ｄと、Ｘ軸方向に対向する側面２ｅ，２ｆと、を備えている。ハウジング前面部２ｃは、ハウジング２の前側（Ｙ軸方向正側）に形成され、ハウジング後面部２ｄは、ハウジング２の後側（Ｙ軸方向負側）に形成される。側面２ｅは、ハウジング２の一方の横側（Ｘ軸方向正側）に形成され、側面２ｆは、ハウジング２の他方の横側（Ｘ軸方向負側）に形成される。ハウジング２は、前側に設けられる相手コネクタとの対向部１１と、後側に設けられるケーブル部１２と、横側に設けられる横側部１３，１４と、を備える。また、ハウジング２の内部には、接触子３とケーブル４との接続部が内在している。
【００１３】
相手コネクタとの対向部１１は、ハウジング２のハウジング前面部２ｃ側に形成され、他の相手側のコネクタの対向部と対向すると共に互いに嵌合するための部分である。相手コネクタとの対向部１１には、ハウジング２内に配置された接触子３を外部へ突出させるための開口部が形成される。開口部は、ハウジング前面部２ｃの略中央位置に形成される。ケーブル部１２は、ハウジング２のハウジング後面部２ｄ側に形成され、ケーブル４の先端部を連結するための部分である。ケーブル部１２には、内部空間に配置されたケーブル４を外部へ引き出すためのケーブル開口部１２ａ（図３参照）が形成される。ケーブル開口部１２ａは、ハウジング後面部２ｄの略中央位置に形成される。横側部１３，１４は、ハウジング２の側面２ｅ，２ｆ側に形成され、ネジ部材８を挿通させるための部分である。横側部１３，１４には、ネジ部材８を挿通させるための横側開口部１３ａ，１４ａが形成される。横側開口部１３ａ，１４ａは、ハウジング２のハウジング前面部２ｃとハウジング後面部２ｄとの間を前後方向に貫通する円形状の貫通孔である。なお、横側開口部１３ａ，１４ａは、ハウジング前面部２ｃとハウジング後面部２ｄとの間を貫通していれば貫通孔でなくともよく、側面２ｅ，２ｆ側に開放された溝部等であってもよい。
【００１４】
図４に示すように、接触子３は、ハウジング２の相手コネクタとの対向部１１側に設けられ、対応する相手側のコネクタ付きケーブルアセンブリ２００の接触子５３（図５参照）と嵌合可能な導電性の部材である。接触子３は、ケーブル４の複数の個別絶縁電線とそれぞれ接続される複数の端子部２２（図４参照）と、対応する相手側のコネクタ付きケーブルアセンブリ２００と嵌合する嵌合部２１と、を備えている。嵌合部２１は、ハウジング２の開口部を介してハウジング２の相手コネクタとの対向部１１から前方に突出している。嵌合部２１は、対応するコネクタ付きケーブルアセンブリ２００の接触子５３の嵌合部と嵌合する。ケーブル４は、ハウジング２の内部からケーブル開口部１２ａを介してケーブル部１２から外部へ引き出される。接触子３の複数の端子部２２がそれぞれコネクタ付きケーブルアセンブリ２００の対応する接触子と電気的に接続される。これによって、ケーブル４の各個別絶縁電線はコネクタ付きケーブルアセンブリ２００のケーブル５４の各個別絶縁電線と電気的に接続される。
【００１５】
本実施形態では、ハウジング２はオーバーモールドによって形成されている。すなわち、ハウジング２は、互いに電気的に接続された接触子３及びケーブル４を含んで樹脂成型することによって形成される。具体的には、ケーブル４と接触子３を接続後、樹脂で１次成型する。その後、１次成型体の前面と後面を除く胴体全周に導電テープを巻き付ける。その後、導電テープを包み込む形でハウジング２を形成する（２次成型）。このように、オーバーモールドによって形成する場合、ハウジング２の樹脂として、例えばＰＶＣ（ポリ塩化ビニル）、ポリアミド、ポリウレタン、サントプレン、ポリブチレンテレフタレート(ＰＢＴ)などのような熱可塑性材料を適用してよい。
【００１６】
後面プレート６は、ハウジング２のハウジング後面部２ｄ側のケーブル部１２に配置されると共に、ハウジング後面部２ｄの形状及びケーブル開口部１２ａと位置合わせされる部材である。後面プレート６は、Ｘ軸方向における中央位置に形成される中央部６Ａと、中央部６ＡからＸ軸方向正側へ突出するように形成される横側部６Ｂと、中央部６ＡからＸ軸方向負側へ突出するように形成される横側部６Ｃと、を備える。また、後面プレート６には、ケーブル開口部１２ａと位置合わせされる中央開口部６ａと、中央開口部６ａの両方の横側にそれぞれ形成される横側開口部６ｂ，６ｃと、が形成される。中央開口部６ａは、中央部６Ａに形成される貫通孔であり、ケーブル開口部１２ａと連通することで、ケーブル４が挿通される。横側開口部６ｂ，６ｃは、横側部６Ｂ，６Ｃに形成される貫通孔であり、ハウジング２の横側開口部１３ａ，１４ａとそれぞれ連通することで、ネジ部材８がそれぞれ挿通される。組み立て時において、後面プレート６は、ハウジング２のハウジング後面部２ｄと接触する。なお、中央開口部６ａ及び横側開口部６ｂ、６ｃは貫通孔でなくともよく、後面プレート６の外縁部から切り欠きを設けることによって形成されていてもよい。
【００１７】
前面プレート７は、ハウジング２のハウジング前面部２ｃ側の相手コネクタとの対向部１１に配置されて、ハウジング前面部２ｃを取り囲む部材である。前面プレート７の外形は、Ｙ軸方向から見たときに、ハウジング前面部２ｃの外形と略同形状である。ただし、前面プレート７の外形は、ハウジング前面部２ｃの外形と異なる形状・大きさであってもよい。前面プレート７には、接触子３と位置合わせされる中央開口部７ａと、中央開口部７ａの両方の横側にそれぞれ形成される横側開口部７ｂ，７ｃと、が形成される。中央開口部７ａは、接触子３の嵌合部２１を取り囲む形状に形成されており、当該嵌合部２１が挿通される。横側開口部７ｂ，７ｃは、中央開口部７ａの横側の縁部を切り欠くことによって形成される貫通部であり、ハウジング２の横側開口部１３ａ，１４ａとそれぞれ連通することで、ネジ部材８がそれぞれ挿通される。なお、横側開口部７ｂ，７ｃの形状については、ネジ部材８の構成と合わせて後述する。組み立て時において、前面プレート７は、ハウジング２のハウジング前面部２ｃと接触する。なお、中央開口部７ａ及び横側開口部７ｂ、７ｃは貫通孔でなくともよく、前面プレート７の外縁部から切り欠きを設けることによって形成されていてもよい。ただし、ハウジング前面部２ｃ側で電磁波をシールドするために、前面プレート７は、切れ目なく全周においてハウジング前面部２ｃを完全に覆っていることが好ましい。ただし、前面プレート７は、ハウジング前面部２ｃを完全に覆っている必要はなく、一部において覆っていない部分を有していてよい。
【００１８】
ネジ部材８は、ハウジング２内を前後方向に延びると共に、前面プレート７を後面プレート６に固定するための部材である。ネジ部材８は、前側から後側へ順に、キャップ部８Ａと、回り止め部８Ｄと、中継部８Ｃと、後端部８Ｂと、を備えている。
【００１９】
キャップ部８Ａは、ネジ部材８の前端側に設けられて内周面に雌ネジ部８ａが形成された筒状の部材である。キャップ部８Ａは、前端側が開口しており、対応する相手側のコネクタ付きケーブルアセンブリ２００のネジ部材５８の雄ネジ部５８ａを受容可能である（図５参照）。キャップ部８Ａ及び雌ネジ部８ａは、ハウジング２の外部であって前面プレート７より前側に突出する。
【００２０】
後端部８Ｂは、ネジ部材８の後端側に設けられて外周面に雄ネジ部８ｃが形成された部分である。後端部８Ｂは、ハウジング２の外部であって後面プレート６より後側に突出する。後端部８Ｂの雄ネジ部８ｃには、ナット１６が締め付けられる。ナット１６は二つ締め付けられており（所謂ダブルナット）、これによって、ネジ部材８の緩みが防止される。
【００２１】
回り止め部８Ｄは、キャップ部８Ａの後端部に形成されている。回り止め部８Ｄの少なくとも一部は、前面プレート７の横側開口部７ｂ，７ｃ内に配置される。回り止め部８Ｄは、横側開口部７ｂ，７ｃのＺ軸方向両側の縁部と対向すると共に、接触することによってネジ部材８の回転を防止する受面８ｂを備えている。受面８ｂは、円柱の周面の一部を平面状に切り欠くことによって形成される。受面８ｂは、Ｚ軸方向正側及び負側に形成されており、互いに平行をなしている。
【００２２】
中継部８Ｃは、雌ネジ部８ａを備えるキャップ部８Ａと雄ネジ部８ｃを備える後端部８Ｂとを連結する部分である。中継部８Ｃとキャップ部８Ａとの間には、回り止め部８Ｄが配置される。中継部８Ｃは、少なくとも一部がハウジング２の内部、すなわち横側開口部１３ａ，１４ａ内に配置される。
【００２３】
ここで、図６を参照して、横側開口部７ｂとネジ部材８の各部分との寸法関係について説明する。なお、横側開口部７ｃとネジ部材８の各部分との寸法関係は、横側開口部７ｂと同趣旨であるため、説明を省略する。
【００２４】
図６に示すように、中央開口部７ａは、Ｘ軸方向に沿って延びる縁部３４，３６と、Ｚ軸方向に沿って延びる縁部３７と、を備えている。横側開口部７ｂは、中央開口部７ａの縁部３７からＸ軸方向正側へ向かって延びるように形成される。横側開口部７ｂは、Ｘ軸方向に沿って延びる縁部３１，３２と、Ｚ軸方向へ延びる縁部３３と、を備えている。横側開口部７ｂの縁部３１は、中央開口部７ａの縁部３４よりＺ軸方向負側に配置されている。横側開口部７ｂの縁部３２は、中央開口部７ａの縁部３６よりＺ軸方向正側に配置されている。横側開口部７ｂの縁部３３は、中央開口部７ａの縁部３７よりＸ軸方向正側に配置されている。
【００２５】
横側開口部７ｂの縁部３１と縁部３２との間のＺ軸方向における寸法Ｌ１は、後端部８Ｂ及び中継部８Ｃの直径よりも大きい。これによって、横側開口部７ｂは、ネジ部材８の後端部８Ｂ及び中継部８Ｃを挿通させることができる。寸法Ｌ１は、回り止め部８Ｄの受面８ｂ間のＺ軸方向における寸法よりも大きい。一方、寸法Ｌ１は、回り止め部８Ｄの受面８ｂ以外の円弧面８ｄの直径よりも小さい。従って、回り止め部８Ｄが横側開口部７ｂ内に配置された状態で回転させようとした場合、受面８ｂが縁部３１，３２と干渉することにより、ネジ部材８の回転が防止される。寸法Ｌ１は、キャップ部８Ａの直径よりも小さい。従って、キャップ部８Ａは、後端面と縁部３１，３２とが接触することにより、横側開口部７ｂを通過することができない状態となる。これにより、キャップ部８Ａは、後面にて前面プレート７の横側開口部７ｂ付近をハウジング２に対して押圧することができる。なお、縁部３７と縁部３３との間のＸ軸方向における寸法Ｌ２は、ネジ部材８の後端部８Ｂ、中継部Ｃ及び回り止め部８Ｄと干渉しない程度の大きさが確保されていればよい。なお、横側開口部７ｂは中央開口部７ａと連通しており一体化された貫通孔として形成されているが、横側開口部７ｂと中央開口部７ａとは、互いに独立した貫通孔であってもよい。すなわち、縁部３７の部分で横側開口部７ｂと中央開口部７ａが仕切られていてもよい。
【００２６】
以上のような構成により、ハウジング２は、後面プレート６及び前面プレート７に挟まれる。一対のネジ部材８は、前面プレート７における対応箇所に形成される横側開口部７ｂ，７ｃを貫通し、ハウジング２における対応箇所（横側部１３，１４）に形成される横側開口部１３ａ，１４ａを貫通し、後面プレート６における対応箇所（横側部６Ｂ，６Ｃ）に形成される横側開口部６ｂ，６ｃを貫通する。キャップ部８Ａは前面プレート７よりも前側に配置され、回り止め部８Ｄの少なくとも一部は横側開口部７ｂ，７ｃ内に配置され、中継部８Ｃの少なくとも一部は横側開口部１３ａ，１４ａ内に配置され、後端部８Ｂの少なくとも一部は後面プレート６よりも後側に配置される。当該状態で後端部８Ｂの雄ネジ部８ｃがナット１６（ダブルナット）で固定される。これによって、前面プレート７は、ハウジング２内を前後方向に延びるネジ部材８によって、後面プレート６に固定される。また、ネジ部材８のキャップ部８Ａが前面プレート７をハウジング２に対して押圧するような状態とすることができる。従って、前面プレート７、ハウジング２、後面プレート６、及びネジ部材８は、互いに十分な強度で固定される。ネジ部材８は、回り止め部８Ｄが横側開口部７ｂ，７ｃ内に配置されていることにより、回転が防止されている。
【００２７】
以上説明したように、本発明の一側面に係るコネクタ付きケーブルアセンブリは、前側に設けられる相手コネクタとの対向部、及びケーブル開口部が形成されて後側に設けられるケーブル部を備えるハウジングと、ハウジングの相手コネクタとの対向部側に設けられ、対応するコネクタの接触子と嵌合可能な導電性の接触子と、ケーブル開口部を介してハウジング内に配置され、接触子と電気的に接続されるケーブルと、ハウジングの後側のケーブル部に配置されると共に、ケーブル開口部と位置合わせされる後面プレートと、ハウジングの前側の相手コネクタとの対向部に配置されて、ハウジング前面部を取り囲む前面プレートと、を備え、ハウジングは、後面プレート及び前面プレートに挟まれ、前面プレートは、ハウジング内を前後方向に延びる少なくとも１つの固定部材によって、後面プレートに固定される。
【００２８】
このような側面においては、前面プレートが、ハウジングの前側の相手コネクタとの対向部に配置されて、ハウジング前面部を取り囲んでいる。また、ハウジングは、後面プレート及び前面プレートに挟まれ、前面プレートは、ハウジング内を前後方向に延びる少なくとも１つの固定部材によって、後面プレートに固定される。従って、ハウジングのうち、接触子が設けられる相手コネクタとの対向部側を完全に前面プレートによって覆うことができる。また、当該前面プレートを固定部材及び後面プレートによって固定することができる。ハウジング２を２次成形する前に、１次成形体の前面と後面を除く胴体全周に導電体テープを巻き付ける。以上により、ハウジングからの電磁波の漏れをより確実に抑制することができる。
【００２９】
また、他の側面に係るコネクタ付きケーブルアセンブリにおいて、固定部材は、ハウジングの両方の横側に配置される一対のネジ部材によって構成され、ネジ部材は、後端側に形成されると共に、ハウジングの外部であって後面プレートより後側に突出する雄ネジ部と、前端側に形成されると共に、ハウジングの外部であって前面プレートより前側に突出する雌ネジ部と、雄ネジ部と雌ネジ部とを連結すると共に、少なくとも一部がハウジングの内部に配置される中継部と、を備え、ネジ部材は、後面プレートにおける対応箇所に形成される横側開口部を貫通すると共に、前面プレートにおける対応箇所に形成される横側開口部を貫通してよい。これにより、ネジ部材の後端側の雄ネジ部にナット等を締め付けることで、前面プレートをネジ部材及び後面プレートによって固定することができる。また、ネジ部材の前端側の雌ネジ部にて、対応する相手側のコネクタのネジ部材の雄ネジ部を締め付けることができる。
【００３０】
また、他の側面に係るコネクタ付きケーブルアセンブリにおいて、ネジ部材と、後面プレートの横側開口部及び前面プレートの横側開口部の少なくとも一方とは、ネジ部材が後面プレート及び前面プレートに対して回転することを防止する形状に構成されていてよい。これにより、対応する相手側のコネクタの雄ネジ部を回転させた場合に、後面プレート及び前面プレートに対してネジ部材が供回りすることを防止できる。従って、コネクタ同士の連結の信頼性を向上できる。
【００３１】
また、他の側面に係るコネクタ付きケーブルアセンブリにおいて、後面プレートには、ケーブル開口部と位置合わせされる中央開口部と、中央開口部の両方の横側にそれぞれ形成される横側開口部と、が形成されてよい。これにより、両方の横側開口部のそれぞれに固定部材（ネジ部材）を挿通させることができる。従って、後面プレートを一枚のプレートで構成することができる。
【００３２】
また、他の側面に係るコネクタ付きケーブルアセンブリにおいて、ハウジングは、互いに電気的に接続された接触子及びケーブルを含んで樹脂成型することによって形成されてよい。取り扱い性を向上させるために樹脂成型によってハウジングを形成する場合、柔らかい樹脂が用いられる場合がある。従って、例えばネジ部材をハウジング自体に固定しようとする場合、回転力によってハウジングが変形してしまう可能性がある。一方、前面プレートと後面プレートでハウジングを挟む構成とすることで、ハウジングからの反発力を得ることで沈み込みを抑制できる。また、後面プレートの後側においてネジ部材の雄ネジ部をナットで締めつけることで、ハウジングに作用する力を抑制できる。従って、ハウジングが柔らかい樹脂で構成されていても、ネジ部材に十分なトルクを掛けることができる。また、製造ミスが発生した場合のリワークにも容易に対応することができる。
【００３３】
本発明の一側面に係るコネクタ付きケーブルアセンブリは、前側に設けられる相手コネクタとの対向部、及びケーブル開口部が形成されて後側に設けられるケーブル部を備えるハウジングと、ハウジングの相手コネクタとの対向部側に設けられ、対応するコネクタの接触子と嵌合可能な導電性の接触子と、ケーブル開口部を介してハウジング内に配置され、接触子と電気的に接続されるケーブルと、ハウジングの後側のケーブル部に配置されると共に、ケーブル開口部と位置合わせされる後面プレートと、ハウジングの前側の相手コネクタとの対向部に配置されて、ハウジング前面部を取り囲む前面プレートと、ハウジングの両方の横側に配置されるネジ部材と、を備え、ネジ部材は、後面プレートにおける対応箇所に形成される横側開口部を貫通すると共に、前面プレートにおける対応箇所に形成される横側開口部を貫通し、前面プレートを押圧し、雌ネジ部が形成された前端側のキャップ部と、ナットで固定されるように雄ネジ部が形成された後端部と、を備え、後面プレートと前面プレートとの間でハウジングを挟み込む。
【００３４】
このような側面においては、前面プレートが、ハウジングの前側の相手コネクタとの対向部に配置されて、ハウジング前面部を取り囲んでいる。また、ハウジングは、後面プレート及び前面プレートに挟まれ、前面プレートは、ネジ部材を介して後面プレートに固定される。従って、ハウジングのうち、接触子が設けられる相手コネクタとの対向部側を前面プレートによって覆うことができる。また、当該前面プレートをネジ部材及び後面プレートによって固定することができる。以上により、ハウジングからの電磁波の漏れをより確実に抑制することができる。また、ネジ部材の前端側のキャップ部は、雌ネジ部を有しているため、対応する相手側のコネクタのネジ部材の雄ネジ部を受け入れることができる。また、後端部の雄ネジ部はナットで固定され、前端側のキャップ部は前面プレートを押圧することができるため、前面プレートと後面プレートとの間でハウジングを十分に挟み込むことができる。このように、ハウジング、前面プレート、後面プレート、及びネジ部材が互いにしっかりと固定された状態となることで、相手側のコネクタのネジ部材の雄ネジ部をキャップ部に締め付けた場合であっても、ネジ部材が供回りすることを防止できる。
【００３５】
本発明の一側面に係るコネクタアセンブリは、前側に設けられる相手コネクタとの対向部、及びケーブル開口部が形成されて後側に設けられるケーブル部を備えるハウジングと、ハウジングの相手コネクタとの対向部側に設けられ、対応するコネクタの接触子と嵌合可能な導電性の接触子と、ハウジングの後側のケーブル部に配置されると共に、ケーブル開口部と位置合わせされる後面プレートと、ハウジングの前側の相手コネクタとの対向部に配置されて、ハウジング前面部を取り囲む前面プレートと、を備え、ハウジングは、後面プレート及び前面プレートに挟まれ、前面プレートは、ハウジング内を前後方向に延びる少なくとも１つの固定部材によって、後面プレートに固定される。
【００３６】
このような側面においては、上述のコネクタ付きケーブルアセンブリと同様に、ハウジングからの電磁波の漏れをより確実に抑制することができる。
【００３７】
本発明は、上述の実施形態に限定されるものではない。
【００３８】
例えば、上述の実施形態では、ハウジングがオーバーモールドによって形成されていたが、ハウジングがシェルタイプであってもよい。この場合、接触子とケーブルとを接続した後、分割されたシェル状のハウジングで挟み込むようにして覆うことによって、ハウジングが構成される。
【００３９】
上述の実施形態では、前面プレート７の横側開口部７ｂ，７ｃの互いに平行な縁部３１，３２と、ネジ部材８の回り止め部８Ｄの互いに平行な受面８ｂ，８ｂと、によって回り止め構造が構成されていた。ただし、回り止め構造の具体的な形状は特に限定されず、回り止め部８Ｄが回転しようとしたときに、前面プレート７の横側開口部７ｂ，７ｃと干渉することで、回り止めが防止される形状であればどのような形状を採用してもよい。例えば、横側開口部７ｂ，７ｃ及び回り止め部８Ｄが三角形等の多角形状であってよく、キー溝などの形状が採用されてもよい。
【００４０】
上述の実施形態では、前面プレートにのみ回り止め構造が形成されていたが、後面プレートに形成してもよく、前面プレートと後面プレートの両方に形成してもよい。また、回り止め構造が設けられていなくともよい。また、ハウジング２の横側開口部１３ａ，１４ａの形状を回り止めのための形状としてもよい。
【００４１】
上述の実施形態では、後面プレートには、中央開口部と、中央開口部の両方の横側にそれぞれ形成される横側開口部と、が形成されていた。これに代えて、図７に示すように、後面プレートが、ケーブル開口部の両方の横側にそれぞれ配置される一対の横側プレート６６Ｂ，６６Ｃを備え、横側プレート６６Ｂ，６６Ｃには、それぞれ横側開口部６６ｂ，６６ｃが形成されてよい。このように、互いに分離された横側プレート６６Ｂ，６６Ｃを上述の後面プレート６の横側部６Ｂ，６Ｃと対応する位置に配置してよい。
【００４２】
このように、他の側面に係るコネクタ付きケーブルアセンブリにおいて、後面プレートは、ケーブル開口部の両方の横側にそれぞれ配置される一対の横側プレートを備え、横側プレートには、それぞれ横側開口部が形成されてよい。このように、後面プレートを一対の横側プレートに分割することで、一枚当たりのプレートの形状をシンプルにすることができる。
【符号の説明】
【００４３】
２…ハウジング、３…接触子、４…ケーブル、６…後面プレート、７…前面プレート、８…ネジ部材（固定部材）、８Ａ…キャップ部、８Ｂ…後端部、１０…コネクタアセンブリ、１１…相手コネクタとの対向部、１２…ケーブル部、１００…コネクタ付きケーブルアセンブリ。
【図１】
0006727756.tif 000002
【図２】
0006727756.tif 000003
【図３】
0006727756.tif 000004
【図４】
0006727756.tif 000005
【図５】
0006727756.tif 000006
【図６】
0006727756.tif 000007
【図７】
0006727756.tif 000008